(57)【要約】      （修正有）【課題】自然または人工物により形成されている斜面が崩壊した場合の応急処置として行われるシートを用いた斜面施工方法を提供する。【解決手段】シートを用いた斜面施工方法は、１段目導水シート２１の上に１段目保護シートを敷設し、１段目保護シートの上側近傍の所定の箇所に１段目排水具３１を土中に打ち込み、１段目保護シートの上辺に所定の幅で重ね合せて２段目保護シートを敷設し、２段目保護シートの上側近傍の所定の箇所に２段目排水具を土中に打ち込み、その後留め具で斜面に固定し、前記敷設、打ち込みや固定等の手順を上方に向かってｎ段目まで繰り返している。【選択図】図９
2020094325.tif 000002
【特許請求の範囲】
【請求項１】
１段目導水シートを斜面に敷設し、
前記１段目導水シートの上に１段目保護シート敷設し、
前記１段目導水シートと前記１段目保護シートの上側近傍の所定の箇所に１段目排水具を土中に打ち込み、
前記１段目保護シートの上辺に所定の幅で重ね合せて２段目導水シートを前記１段目保護シートの上方に敷設し、
その後前記２段目導水シートの上に２段目保護シート敷設し、
前記２段目導水シートと前記２段目保護シートの上側近傍の所定の箇所に２段目排水具を土中に打ち込み、
その後少なくとも前記２段目保護シート、前記２段目導水シート、前記１段目保護シート及び前記１段目導水シートの重なり部分と、前記１段目保護シート及び前記１段目導水シートの下辺近傍を留め具で斜面に固定し、
前記敷設、打ち込みや固定等の手順を上方に向かってｎ段目まで繰り返すことからなるシートを用いた斜面施工方法。
【請求項２】
前記１〜ｎ段目保護シートの裏面側に予め対応する前記第１〜ｎ段目導水シートが接着または溶着されている、請求項１記載のシートを用いた斜面施工方法。
【請求項３】
前記留め具で、下側にある前記１〜ｎ段目保護シート及び前記第１〜ｎ段目導水シートを仮止めする、請求項１または請求項２記載のシートを用いた斜面施工方法。
【請求項４】
前記１〜ｎ段目保護シートは、内部空間を有しており、前記空間に鉱物を粉砕または鉱物を焼成・粉砕した原材料料を主成分とする粉粒材を充填させている請求項１乃至請求項３記載のシートを用いた斜面施工方法。
【請求項５】
前記１〜ｎ段目保護シートの表面で受け止められた雨水は、前記１〜ｎ段目保護シートの表面を流下し、斜面上流側からの土壌水は、略水平方向に連続して又は所定の間隔で土中に打ち込まれた１〜ｎ段目排水具で、対応する前記１〜ｎ段目保護シート表面に誘導排水される請求項１乃至請求項４記載のシートを用いた斜面施工方法。
【発明の詳細な説明】
【技術分野】
【０００１】
本発明は、自然または人工物により形成されている斜面が崩壊した場合の応急処置として行われるシートを用いた斜面施工方法に関する。
【背景技術】
【０００２】
近年の異常気象による台風やゲリラ豪雨の多発による山間部の斜面崩落や、道路盛土体、鉄道盛土体や河川堤防の決壊氾濫等、社会インフラの豪雨被災が相次いでいる。社会資本は一国の活力基盤であり、活発な経済活動や豊かで安全な生活がそのうえに築かれるものであるから、その充実と安全・維持管理は極めて重要である。豪雨被災ではブルーシート等のシートでの法面表層保護の保護を行う応急処置（応急工事）が行われ、重宝されている。しかしながら、あくまで、応急処置としての復旧であり、長く保護できるものではなかった。
【０００３】
山の斜面（人工的な斜面の場合は法面とも呼ばれる。）、造成地の斜面、道路の斜面、河川堤防の斜面、護岸の斜面等の土砂崩れや、地滑り等の斜面の崩壊に対する応急処置は、いかに早く安く有効に応急処置や仮復旧するかにあった。その後、本格的なコンクリート護岸工事をする本復旧予算を申請し、事業が決定すると恒久処置（恒久工事）として斜面の恒久的な補強工事を行うのが一般的であった。
【０００４】
また、応急処置から恒久処置まで必要な期間も、広範囲な地域で発生する場合や、同じまたは近傍の地域で連続して発生する場合もあり、作業者や資材の手配が難しいので簡単に対応できない場合や、恒久処置を行う費用がすぐには用意できない場合もあり、応急処置といっても、できるだけ長い期間、斜面を保護できる工法が必要となっていた。
【先行技術文献】
【特許文献】
【０００５】
【特許文献１】実開昭６１−０２３３４４号公報
【特許文献２】特開２０１８−０６６１５９号公報
【発明の概要】
【発明が解決しようとする課題】
【０００６】
しかしながら、これらの背景技術においても、特許文献１の考案の名称「築堤の法面防護構造」や、特許文献２の発明の名称「法面の施工方法とそれに用いるシート」については、応急処置としては、多くの作業の時間や、多くの資材が必要になる内容であるため、応急処置には適さない内容が提案されていた。
【０００７】
また、特許文献１の考案や特許文献２の発明では、斜面が崩壊する原因ともなっている斜面に含まれている地表面の下にある水（土壌水と呼ばれている。以下「土壌水」と呼ぶ。）、を排水できないという問題があった。
【課題を解決するための手段】
【０００８】
上記の課題を解決するため、本発明では、次の技術的手段を講じている。
【０００９】
第１発明のシートを用いた斜面施工方法は、１段目導水シートを斜面に敷設し、前記１段目導水シートの上に１段目保護シート敷設し、前記１段目導水シートと前記１段目保護シートの上側近傍の所定の箇所に１段目排水具を土中に打ち込み、前記１段目保護シートの上辺に所定の幅で重ね合せて２段目導水シートを前記１段目保護シートの上方に敷設し、その後前記２段目導水シートの上に２段目保護シート敷設し、前記２段目導水シートと前記２段目保護シートの上側近傍の所定の箇所に２段目排水具を土中に打ち込み、その後少なくとも前記２段目保護シート、前記２段目導水シート、前記１段目保護シート及び前記１段目導水シートの重なり部分と、前記１段目保護シート及び前記１段目導水シートの下辺近傍を留め具で斜面に固定し、前記敷設、打ち込みや固定等の手順を上方に向かってｎ段目まで繰り返すことからなっている。
第２発明のシートを用いた斜面施工方法は、請求項１記載の発明において、前記１〜ｎ段目保護シートの裏面側に予め対応する前記第１〜ｎ段目導水シートが接着または溶着されている。
第３発明のシートを用いた斜面施工方法は、請求項１または請求項２記載の発明において、前記留め具で、下側にある前記１〜ｎ段目保護シート及び前記第１〜ｎ段目導水シートを仮止めしている。
第４発明のシートを用いた斜面施工方法は、請求項１乃至請求項３記載の発明において、
前記１〜ｎ段目保護シートは、内部空間を有しており、前記空間に鉱物を粉砕または鉱物を焼成・粉砕した原材料料を主成分とする粉粒材を充填させている。
第５発明のシートを用いた斜面施工方法は、請求項１乃至請求項４記載の発明において、
前記１〜ｎ段目保護シートの表面で受け止められた雨水は、前記１〜ｎ段目保護シートの表面を流下し、斜面上流側からの土壌水は、略水平方向に連続して又は所定の間隔で土中に打ち込まれた１〜ｎ段目排水具で、対応する前記１〜ｎ段目保護シート表面に誘導排水されている。
【発明の効果】
【００１０】
以上のような、技術的手段を有することにより、以下の効果を有する。
【００１１】
応急処置と変わらない工事であっても、比較的長い期間保護することができる。さらに、斜面の崩壊に関わる土壌水を排出することができる。
【図面の簡単な説明】
【００１２】
【図１】本発明に係る第１の実施形態の施工完了後の説明図である。
【図２】本発明に係る第１の実施形態の排水具の外観図である。
【図３】本発明に係る第１の実施形態の第１段階と第２段階の施工方法の説明図である。
【図４】本発明に係る第１の実施形態の第３段階の施工方法の説明図である。
【図５】本発明に係る第１の実施形態の第３段階の施工方法の説明図である。
【図６】本発明に係る第１の実施形態の第４段階の施工方法の説明図である。
【図７】本発明に係る第１の実施形態の第５段階の施工方法の説明図である。
【図８】本発明に係る第１の実施形態の第５段階の施工方法の説明図である。
【図９】本発明に係る第１の実施形態の断面図である。
【図１０】本発明に係る第１の実施形態の第６段階の施工方法の説明図である。
【図１１】本発明に係る第１の実施形態の第７段階の施工方法の説明図である。
【図１２】本発明に係る第１の実施形態の第７段階の施工方法の説明図である。
【図１３】本発明に係る第１の実施形態の第８段階以降の施工方法の説明図である。
【図１４】本発明に係る第２の実施形態の斜面の説明図である。
【図１５】本発明に係る第２の実施形態の施工完了後の説明図である。
【図１６】本発明に係る第３の実施形態の排水具の外観図である。
【図１７】本発明に係る第４の実施形態の排水具の外観図である。
【発明を実施するための形態】
【００１３】
本発明に係るシートを用いた斜面施工方法の実施の形態について図１乃至図１７に基づき説明する。なお、この実施の形態によりこの発明が限定されるものではない。
【００１４】
（第１の実施形態）
第１の実施形態について、図１乃至１３図に基づき説明する。まず、図１の説明図を用いて本発明のシートを用いた斜面施工方法が行われた斜面についての概要を説明する。
【００１５】
図１は、斜面１に本願発明のシートを用いた斜面施工方法を実施した形態の一例を図示している。斜面１は、施工方法の説明を容易にするために、角度約４５度で、斜面の面が整地されているものとして図示しているが、この様な斜面に限定されるものではない。また、斜面１の状態を分かり易くするために、水平面５も図示している。
【００１６】
図１において、斜面１には、１段目保護シート１１、２段目保護シート１２、３段目保護シート１３及び４段目保護シート１４の４枚の保護シートが、複数の留め具４１で固定されている。また、図１においては、１段目保護シート１１、２段目保護シート１２、３段目保護シート１３及び４段目保護シート１４で隠れているため、図１には図示されてないが、１段目保護シート１１、２段目保護シート１２、３段目保護シート１３及び４段目保護シート１４と斜面１の間には、１段目導水シート２１、２段目導水シート２２、３段目導水シート２３及び４段目導水シート２４や、１段目排水具３１、２段目排水具３２及び３段目排水具３３が設けられている。なお、詳細については図２乃至図１３で説明する。
【００１７】
ここで、施工方法の段階を説明する便宜上、１段目〜４段目の保護シート、導水シート及び排水具は、夫々別の名称及び符号を附して説明している。そのため、保護シート、導水シート及び排水具は同一形態のものを使用しても実施可能である。また、１段目〜４段目の保護シートを総称して、１〜ｎ段目保護シート１０と呼び、１段目〜４段目の導水シートを総称して、１〜ｎ段目導水シート２０と呼び、１段目〜３段目の排水具を総称して、１〜ｎ段目排水具３０と呼び、説明する。
【００１８】
１〜ｎ段目保護シート１０は、厚みが０．２〜１０ｍｍの適度な強度及び耐久性を有すると同時に、柔軟性を有したシートである。なお、この１〜ｎ段目保護シート１０の厚みや材質については、施工主から提示される恒久処置が開始されるまでの期間を考慮して、適切な厚みや材質選択する。
【００１９】
１〜ｎ段目保護シート１０の具体的な材質としては、ポリプロピレン（ＰＰ）、ポリエチレン（ＰＥ）、ポリエステル（ＰＥs）、塩化ビニル（ＰＶＣ）等をシート状に加工したものや、アルミフィルム等の軟性金属をシート状に加工した不通水性（遮水性）を有したシートである。よって、雨水については、斜面１の内部に浸み込むことはない。なお、本出願書類において「シート」として呼ぶものは、英語の「ｓｈｅｅｔ」のことであり、フィルムよりは厚いが、柔軟性を備えている平板の材料のことである。
【００２０】
また１〜ｎ段目保護シート１０の広さについては、幅が０．５ｍ〜１０ｍ（好ましくは１〜２ｍ）で、長さについては斜面に合わせて適宜な長さを選択している。本実施形態においては、幅２メートル長さ５メートルとしている。なお、原材料の供給や製造が可能であれば、これより広いものとしても良く、また施工場所に合わせて適当の大きさに分割して施工しても良い。１〜ｎ段目保護シート１０を設けることにより、豪雨時も土壌水の浸透による斜面１の土壌の含水率を多くすることなく脱水乾燥硬化を促進することができる。
【００２１】
１〜ｎ段目保護シート１０については、本願の出願人の出願した出願番号「特願２０１８−２０４８１４号」で説明している発明「複合シート」を用いても良い。複合シートの場合は、その性質状厚みが、２〜２０ｍｍ程度になり、全体として不通水性を有している。
【００２２】
なお、複合シートとは、内包させる材料に対する遮蔽性及び柔軟性を備えた第２シートと、平面状の網を加工して前記平面状の網から分割された複数の点・線・面の集合体からなる所定の間隔を保持できる二つの面が形成されている所定の目開きの変形させた網と、前記第２シートに、前記変形させた網に形成された一方の面を接合させて前記第２シートの一面に前記変形させた網で所定の空間を形成し、前記空間に鉱物を粉砕または鉱物を焼成・粉砕した原材料料を主成分とする粉粒材を充填させた後に、前記変形させた網に形成された他方の面に、内包させる材料に対する遮蔽性及び柔軟性を備えた第１シートを接合させ、変形させた網の側面を塞ぎ、前記粉粒材を内包させているシートのことである。
【００２３】
１〜ｎ段目導水シート２０については、水分を吸収すると同時に、重力によって水分を通水又は導水することができる。そのため、１〜ｎ段目導水シート２０の大きさについては、斜面を覆うことができる様に１〜ｎ段目保護シート１０と同様の広さではあり、厚みについては、１〜ｎ段目保護シート１０よりも厚く、５〜２０ｍｍ程度になる。
【００２４】
１〜ｎ段目導水シート２０の例としては、繊維や繊維状のもの等の糸状絡まりあって、ひとまとまりの状態になっているもので、言い換えるならば綿状の塊となっているものや、繊維や繊維状の塊でない場合にはスポンジの様な多孔質のものである。１〜ｎ段目導水シート２０を設けて斜面１にフィツトすることにより、斜面１の水分を吸収すると共に、水は通すが土の微粒子は通さないフィルターとしての機能で、斜面１が浸食され空洞化されるのを防ぐ。
【００２５】
さらに、前記１〜ｎ段目導水シートの材質の例としては、合成樹脂の場合は、ポリエステル、ナイロン、アクリル、ポリ塩化ビニル、ポリウレタン、レーヨン、キュプラ、ポリノジック、アセテート、トリアセテート、プロミックス、などの繊維や、スポンジ状に加工したものである。また、天然の繊維や繊維状の材質としては、ヤシの実繊維、麻（ジュート・ケナフ）、綿、や動物繊維等であり、無機物の場合は、グラスファイバーやロックウール等でも良い。
【００２６】
図２において、１〜ｎ段目排水具３０の詳細について説明する。１〜ｎ段目排水具３０は、金属、合成樹脂等を適切な形状に加工したものである。１〜ｎ段目排水具３０の大きさの幅については、５〜２０ｃｍ程度であり、土壌水の状況により適切に選定する。また、１〜ｎ段目排水具３０の厚みや長さについては、打ち込まれる斜面１の硬質や軟質等の土壌の状態により適切に選定する。
【００２７】
１〜ｎ段目排水具３０は平板の先端３０ａを土中に打ち込み易い様に、尖らせている。また、末端３０ｂは、１〜ｎ段目排水具３０を土中に打ち込む場合に、ハンマーで叩きやすくするためと、１〜ｎ段目保護シート１０ａ、図３や図４の場合は１段目保護シート１１ａの上辺を押さえて仮止めが可能な、下向きに折り曲げられた折り返しが設けられている。
【００２８】
留め具４１は、金属、合成樹脂等の土木用鋲や土木用釘である。留め具４１の長さや太さについては、打ち込まれる斜面１の硬質や軟質等の土壌の状態により適切に選定する。１〜ｎ段目保護シート２０や１〜ｎ段目導水シート１０の外周や要所に貫通して、斜面の土や岩等に打ち込まれることによって１〜ｎ段目保護シート２０や１〜ｎ段目導水シート１０を斜面に固定する。なお、留め具４１の１〜ｎ段目保護シート２０や１〜ｎ段目導水シート１０に対する押さえる効果を増すために、留め具４１の頭部（ハンマーなどで叩く部分で、他の部分に比較して大きくしている部分。）、を大きくしても良いが、本実施形態においては、合成樹脂や金属等の円板を押さえ板として組み合わせたものとしている。
【００２９】
図３乃至図１３を用いて、図１の実施形態になるまでの施工方法について説明する。
【００３０】
シートを用いた斜面施工方法の第１段階（第１ステップ）は、図３で図示する様にまず１段目導水シート２１を斜面１敷設する。斜面１における１段目導水シート２１の敷設する箇所は、斜面１が崩壊することを防ぎたい箇所の斜面１の最下部（平面５が斜面１に変化する箇所）に、１段目導水シート２１の下側の辺を合わせて敷設する。なお、１〜ｎ段目導水シート２０については、図中において、交線を附して図示している。また、用語としての敷設は、鉄道や水道等を設置する場合に一般的に用いられているが、シート状のものを敷いて設置するという意味を説明する用語として用いている。
【００３１】
第２段階は、１段目導水シート２１を敷設した後に、１段目導水シート２１とほぼ同じ広さの１段目保護シート１１を１段目導水シート２１に重ね合せて敷設する。
【００３２】
斜面１に１段目導水シート２１に合わせて１段目保護シート１１を敷設した状態が図４である。図中において、１〜ｎ段目導水シート２０に１〜ｎ段目保護シート１０が重ね合されているかどうかを明確にできる様にするために、１〜ｎ段目導水シート２０に重ね合された状態の１〜ｎ段目保護シート１０を、１〜ｎ段目保護シート１０ａ、図４の場合は、１段目保護シート１１ａとし、符号を変えて図示して説明する。
【００３３】
第３段階は、図４に示している様に、１段目導水シート２１が重ね合された１段目保護シート１１ａの上側の辺の近傍の３箇所に、３個の１段目排水具３１を斜面１の土中に打ち込む。ここで、１段目排水具３１を斜面１に打ち込む角度は、平面５に対して、上向きになる様にする。詳しくは、図８の断面図である図９に図示している。また、本実施形態においては、１段目排水具３１を３個として、均等に配置しているが、１段目保護シート１１ａの大きさや、斜面１の土壌水の条件により、１〜ｎ段目排水具３０の数を１段目保護シート１１ａの幅に合わせて連続して打ち込んでも、減らしても良い。また。１段目排水具３１の打ち込む間隔については、土壌水の状況で不均等に打ち込んでも良い。
【００３４】
後述する図９で説明するが、１〜ｎ段目排水具３０が設けられていることにより、斜面が崩壊する原因ともなっている斜面１に含まれている地表面の下にある土壌水を十分に誘導排水することができる。
【００３５】
図５は、１段目保護シート１１ａの上側の辺の近傍の３箇所に、３個の１段目排水具３１を斜面１の土中に打ち込まれ、１段目保護シート１１ａの上側で３個の１段目排水具３１により、斜面１に仮止めされた状態となっている。
【００３６】
第４段階は、図６で図示する様に１段目導水シート２１が重ね合された１段目保護シート１１ａの上側で、１段目保護シート１１ａと所定の重ね代（図６において、１段目保護シート１１ａの上辺と２点鎖線で示す箇所までの間）を設けて、２段目導水シート２２を斜面１敷設する。所定の重ね代としては、５〜２０ｃｍ程度である。
【００３７】
なお、本実施形態において重ね代は、１０ｃｍとしている。重ね代の部分で留め具４１を１段目保護シート１１ａと２段目保護シート１２ａを貫通させて斜面１に打ち込むため、１段目保護シート１１ａと２段目保護シート１２ａが破れない様に、余裕を持たせるためである。
【００３８】
第５段階は、図７に図示する様に、２段目導水シート２２を敷設した後に、２段目導水シート２２とほぼ同じ広さの２段目保護シート１２を２段目導水シート２２に重ね合せて敷設する。２段目導水シート２２に重ね合された、２段目保護シート１２ａが敷設された後の状態を図８に示す。図８におけるＡ−Ａ断面図を図９に図示する。
【００３９】
図９において、斜面１の断面を多数の点で、１段目導水シート２１と２段目導水シート２２の断面を交線で、１段目保護シート１１と２段目保護シート１２を左上がりの斜線で、１段目排水具３１を右上がりの斜線で、図示している。図９において、１段目排水具３１は１段目保護シート１１ａの上部を押さえている。１段目排水具３１は斜面１に対して、水平面５の角度よりも上向き（左上がり）に埋め込まれている。
【００４０】
このため、土壌水が斜面１の内部で流れたとしても、１段目排水具３１により斜面１の外部、さらには１段目保護シート１１ａの表面側に誘導排水することができる。この場合に１段目排水具３１の表側は、２段目導水シート２２で覆われているので、２段目導水シート２２のフィルター機能により、水は通すが土の微粒子を通さないことになり、斜面１の崩壊を防ぐことができる。
【００４１】
また、１段目排水具３１は、２段目導水シート２２の下側にあるので、２段目導水シート２２を伝わって落下する水についても、１段目保護シート１１ａの表面側に誘導排水することができる。
【００４２】
第６段階は、図１０に示している様に、２段目導水シート２２が重ね合された２段目保護シート１２ａの上側の辺の近傍の３箇所に、３個の２段目排水具３２を斜面１の土中に打ち込む。ここで、２段目排水具３２を斜面１に打ち込む角度は、前述の１段目排水具３１と同様の角度に打ち込む。また、２段目排水具３２の数や打ち込む位置についても１段目排水具３１と同様にしても良いし、変更しても良い。打ち込まれた状態が図１１となる。これにより２段目保護シート１２ａは２段目排水具３２によって、仮止めされている。
【００４３】
第７段階は、図１１に示している様に、２段目排水具３２を斜面１に打ち込んだ後に、留め具４１を１段目保護シート１１ａの下辺近傍と、１段目保護シート１１ａと２段目保護シート１２ａとの重ね代に均等間隔で打ち込む。本実施形態においては、１段目保護シート１１ａについて、上下４本ずつ留め具４１を打ち込む状態を図示しているが、斜面１の状態や、１段目保護シート１１ａの大きさにより、増減しても良い。また、１段目保護シート１１ａの左右辺の近傍に留め具４１を打ち込んでも良い。そして留め具４１が打ち込まれた状態が図１２となる。
【００４４】
第８段階以降については、４段階から７段階までの繰り返しを実施することになる。詳細は繰り返しであるので省略するが、４段階から７段階の、１段目導水シート２１、１段目保護シート１１、１１ａ、１段目排水具３１を、２段目導水シート２２、２段目保護シート１２、１２ａ、２段目排水具３２と読み替え、２段目導水シート２２、２段目保護シート１２、１２ａ、２段目排水具３２を３段目導水シート２３、３段目保護シート１３、１３ａ、３段目排水具３３と読み替えることにより実施できる。なお、４段階から７段階を、前記の読み替えを行って実施した図が、図１３となる。
【００４５】
さらに、本実施形態の図１で示した、１段目保護シート１１ａ〜４段目保護シート１４ａを敷設した場合について説明する。この場合については、４段階から７段階の、１段目導水シート２１、１段目保護シート１１、１１ａ、１段目排水具３１を、３段目導水シート２３、３段目保護シート１３、１３ａ、３段目排水具３３と読み替え、２段目導水シート２２、２段目保護シート１２、１２ａ、２段目排水具３２を、４段目導水シート２４、４段目保護シート１４、１４ａ、４段目排水具３４と読み替えることにより実施できる。
【００４６】
ただし、４段目排水具３４については、斜面１の上部にあり土壌水が発生するおそれがないことや、４段目排水具３４の上面に密着する５段目導水シート２５は設けられないことにより、１〜ｎ段目導水シート２０によるフィルター機能がないことから、本実施形態においては設けられてない。そして、４段目保護シート１４ａよりも上にシートの敷設は行わないことから、４段目保護シート１４ａの上辺近傍に、留め具４１を４本打ち込んでいる。以上の読み替え等を行って実施した図が、図１となる。
【００４７】
１〜ｎ段目保護シート１０、１〜ｎ段目導水シート２０、１〜ｎ段目排水具３０を増やして実施する場合には、前記の敷設を繰り返すことによって実施できる。また、本実施形態においては、１〜ｎ段目保護シート１０と１〜ｎ段目導水シート２０を分離して施工する方法として説明しているが、最初から１〜ｎ段目導水シート２０に１〜ｎ段目保護シート１０を重ねあわせて接着や溶着して製造されたものを用いて施工しても良い。その場合には、前記の施工の段階において、１〜ｎ段目導水シート２０を敷設する工程は省略され、１〜ｎ段目導水シート２０が接着または溶着された１〜ｎ段目保護シート１０ａを敷設することになる。
【００４８】
本出願書類において接合する方法として、「接着、溶着」と説明するものは、素材を変性劣化がし難い、熱溶着、超音波溶着、接着剤、溶射、ホットメルトや、接着シートを用いる方法等のことである。
【００４９】
（第２の実施形態）
第２の実施形態について、図１４と図１５を用いて説明する。図１４は第１の実施形態の斜面１の中央部が崩壊して中央部に窪み６が生じた斜面２である。この斜面２に本発明のシートを用いた斜面施工方法が行われた場合を図１５に示す。
【００５０】
図１５において、崩壊が生じた中央部の窪み６については、第１の実施形態と同様に、１段目導水シート２１が重ね合された１段目保護シート１１ａと、２段目導水シート２２が重ね合された２段目保護シート１２ａと、３段目導水シート２３が重ね合された３段目保護シート１３ａと、４段目導水シート２４が重ね合された４段目保護シート１４ａが敷設されている。
【００５１】
また、１段目保護シート１１ａの上側の辺の近傍に、３個の１段目排水具３１が、２段目保護シート１２ａの上側の辺の近傍に、３個の２段目排水具３２が、３段目保護シート１３ａの上側の辺の近傍に、３個の３段目排水具３３が、斜面２の土中に打ち込まれている。
【００５２】
次に、１段目保護シート１１ａ、２段目保護シート１２ａ、３段目保護シート１３ａ、４段目保護シート１４ａの右側には、５段目導水シート２５が重ね合された５段目保護シート１５ａと、６段目導水シート２６が重ね合された６段目保護シート１６ａが敷設されている。
【００５３】
５段目保護シート１５ａと６段目保護シート１６ａについては、横長に敷設するのではなく、縦長に敷設されている。また、５段目保護シート１５ａと６段目保護シート１６ａが敷設されている斜面２の部分には、１〜ｎ段目排水具３０は設けられてない。
【００５４】
これは、斜面２では、中央部が崩壊して窪みができていることから、窪みのある中央部付近に土壌水が集中していると考えて、１段目保護シート１１ａ、２段目保護シート１２ａ、３段目保護シート１３ａ、４段目保護シート１４ａが敷設した斜面２だけ、排水具を設け、５段目保護シート１５ａと６段目保護シート１６ａを敷設した斜面２には、排水具が必要ないと判断して実施したからである。また、土壌水を外部に誘導排水する必要がないことから、シートを敷設し易い縦長にして、５段目保護シート１５ａと６段目保護シート１６ａを敷設している。
【００５５】
なお、５段目保護シート１５ａと６段目保護シート１６ａを横長に敷設して、斜面２に排水具を打ち込んでも良い。また、図１５においては省略しているが、必要な場合には、１段目保護シート１１ａ、２段目保護シート１２ａ、３段目保護シート１３ａ、４段目保護シート１４ａの左側に、７段目保護シート１７ａと８段目保護シート１８ａを敷設しても良い。
【００５６】
１〜ｎ段目導水シート２０、１〜ｎ段目保護シート１０、１〜ｎ段目排水具３０の材質や形状等については、第１の実施形態と同様であるので説明を省略する。また、斜面２に対する施工方法については、１段目保護シート１１ａ、２段目保護シート１２ａ、３段目保護シート１３ａ、４段目保護シート１４ａについては、第１の実施形態と同様であるので説明を省略する。そして、４段目保護シート１４ａを敷設した後に、５段目保護シート１５ａ、６段目保護シート１６ａの順で敷設する。
【００５７】
（第３の実施形態）
第３の実施形態について、図１６を用いて説明する。図１６は第３の実施形態に用いる排水具５１の斜視図であり、排水具５１が変更されているだけであるので、１〜ｎ段目導水シート２０、１〜ｎ段目保護シート１０、留め具４１の材質や形状等については、第１の実施形態と同様として説明を省略する。また、斜面１や斜面２に対する施工方法については、第１の実施形態や第２の実施形態と同様であるので説明を省略する。
【００５８】
排水具５１は、金属、合成樹脂等を適切な形状に加工したものである。排水具５１の先端５１ａは、１〜ｎ段目排水具３０の先端３０ａと同様に、土中に打ち込み易い様に、尖らせている。また、末端５１ｂは、排水具５１を土中に打ち込む場合に、ハンマーで叩きやすくするためと、１〜ｎ段目保護シート１０ａの上辺を押さえて仮止めが可能な、下向きに折り曲げられた折り返しが設けられている。そして、折り返した部分については、１〜ｎ段目保護シート１０ａを押さえつけ易くするために、複数の四角形の切欠きが設けている。なお、切り欠きについては、１〜ｎ段目保護シート１０ａの厚みや材質により個数を増減させることや、形状を三角形や半円形等にしても良い。
【００５９】
（第４の実施形態）
第４の実施形態について、図１７を用いて説明する。図１７は第４の実施形態に用いる排水具５２の斜視図であり、排水具５２が変更されているだけであるので、１〜ｎ段目導水シート２０、１〜ｎ段目保護シート１０、留め具４１の材質や形状等については、第１の実施形態と同様として説明を省略する。また、斜面１や斜面２に対する施工方法については、第１の実施形態や第２の実施形態と同様であるので説明を省略する。
【００６０】
排水具５２は、金属、合成樹脂等を適切な形状に加工したものである。排水具５２の末端５２ｂについては、１〜ｎ段目排水具３０の先端３０ｂと同様に、土中に打ち込む場合に、ハンマーで叩きやすくするためと、１〜ｎ段目保護シート１０ａの上辺を押さえて仮止めが可能な、下向きに折り曲げられた折り返しが設けられている。また、先端５２ａについては、中央部に窪みを設けて、断面「逆への字」状に加工されている。土壌水を受け易くするためである。なお、排水具５２が１〜ｎ段目導水シート２０で覆われる部分については平面になっているので、１〜ｎ段目導水シート２０のフィルター機能を損なわない。
【００６１】
以上、本発明について、第１〜第４の実施形態に基づき説明してきたが、本発明は何らこれらの実施形態の構成に限定するものではない。例えば、第１〜第４の実施形態の組み合わせについては適宜組合せを変えて実施可能である。
【００６２】
さらには、この発明は、これらに限定されるものではなく、特許請求の範囲に記載された発明とその均等の範囲を含むものである。
以下に、本件出願の特許請求の範囲に記載された発明を付記する。
（付記）
［１］付記１は、１段目導水シートを斜面に敷設し、
前記１段目導水シートの上に１段目保護シート敷設し、
前記１段目導水シートと前記１段目保護シートの上側近傍の所定の箇所に１段目排水具を土中に打ち込み、
前記１段目保護シートの上辺に所定の幅で重ね合せて２段目導水シートを前記１段目保護シートの上方に敷設し、
その後前記２段目導水シートの上に２段目保護シート敷設し、
前記２段目導水シートと前記２段目保護シートの上側近傍の所定の箇所に２段目排水具を土中に打ち込み、
その後少なくとも前記２段目保護シート、前記２段目導水シート、前記１段目保護シート及び前記１段目導水シートの重なり部分と、前記１段目保護シート及び前記１段目導水シートの下辺近傍を留め具で斜面に固定し、
前記敷設、打ち込みや固定等の手順を上方に向かってｎ段目まで繰り返すことからなるシートを用いた斜面施工方法である。
［２］付記２は、前記１〜ｎ段目保護シートの裏面側に予め対応する前記第１〜ｎ段目導水シートが接着または溶着されている、請求項１記載のシートを用いた斜面施工方法である。
［３］付記３は、前記留め具で、下側にある前記１〜ｎ段目保護シート及び前記第１〜ｎ段目導水シートを仮止めする、請求項１または請求項２記載のシートを用いた斜面施工方法である。
［４］付記４は、前記１〜ｎ段目保護シートは、内部空間を有しており、前記空間に鉱物を粉砕または鉱物を焼成・粉砕した原材料料を主成分とする粉粒材を充填させている請求項１乃至請求項３記載のシートを用いた斜面施工方法である。
［５］付記５は、前記１〜ｎ段目保護シートの表面で受け止められた雨水は、前記１〜ｎ段目保護シートの表面を流下し、斜面上流側からの土壌水は、略水平方向に連続して又は所定の間隔で土中に打ち込まれた１〜ｎ段目排水具で、対応する前記１〜ｎ段目保護シート表面に誘導排水される請求項１乃至請求項４記載のシートを用いた斜面施工方法である。
【産業上の利用可能性】
【００６３】
重要な社会インフラである山の斜面、造成地の斜面、道路の斜面、河川堤防の斜面、護岸の斜面等の土砂崩れや、地滑り等の斜面の崩壊に対する応急処置を行う場合に、恒久処置までの期間が延長する場合についても対応できる。
【符号の説明】
【００６４】
１、２：斜面
５：水平面
６：窪み
１０、１０ａ：１〜ｎ段目保護シート
１１、１１ａ：１段目保護シート
１２、１２ａ：２段目保護シート
１３、１３ａ：３段目保護シート
１４、１４ａ：４段目保護シート
１５ａ：５段目保護シート
１６ａ：６段目保護シート
２０：１〜ｎ段目導水シート
２１：１段目導水シート
２２：２段目導水シート
２３：３段目導水シート
２４：４段目導水シート
３０：１〜ｎ段目排水具
３０ａ、５１ａ、５２ａ：先端
３０ｂ、５１ｂ、５２ｂ：末端
３１：１段目排水具
３２：２段目排水具
３３：３段目排水具
４１：留め具
５１、５２：排水具
【図１】
2020094325.tif 000003
【図２】
2020094325.tif 000004
【図３】
2020094325.tif 000005
【図４】
2020094325.tif 000006
【図５】
2020094325.tif 000007
【図６】
2020094325.tif 000008
【図７】
2020094325.tif 000009
【図８】
2020094325.tif 000010
【図９】
2020094325.tif 000011
【図１０】
2020094325.tif 000012
【図１１】
2020094325.tif 000013
【図１２】
2020094325.tif 000014
【図１３】
2020094325.tif 000015
【図１４】
2020094325.tif 000016
【図１５】
2020094325.tif 000017
【図１６】
2020094325.tif 000018
【図１７】
2020094325.tif 000019